(57)【要約】【課題】調理容器から五徳の爪部に対して加わった衝撃を和らげ、天板に伝わる衝撃を抑えることができるガスこんろ及び天板を提供する。【解決手段】ガスこんろ１は、天板４を有するこんろ本体２と、天板４に載る輪部９１及び輪部９１に対して固定された複数の爪部９２を有する五徳９と、を備える。天板４は、輪部９１が載る複数の凸部６４を有する。複数の凸部６４の各々は、平面視において、複数の爪部９２のうちの隣り合う爪部９２の間にある。【選択図】図３
2020148397.tif 000002
【特許請求の範囲】
【請求項１】
天板を有するこんろ本体と、
前記天板に載る輪部及び前記輪部に対して固定された複数の爪部を有する五徳と、
を備え、
前記天板は、前記輪部が載る複数の凸部を有し、
前記複数の凸部の各々は、平面視において、前記複数の爪部のうちの隣り合う爪部の間にある、
ガスこんろ。
【請求項２】
前記複数の凸部は、
複数の第一突起と、
前記第一突起よりも低い第二突起と、
を有する、
請求項１記載のガスこんろ。
【請求項３】
前記こんろ本体は、前記複数の第一突起を三つ有する、
請求項２記載のガスこんろ。
【請求項４】
前記天板は、
トッププレート本体と、
前記トッププレート本体に取り付けられたバーナリングと、
を有し、
前記複数の凸部は前記バーナリングに形成されている、
請求項１〜３のいずれか一項に記載のガスこんろ。
【請求項５】
前記複数の爪部は、
複数の第一爪と、
前記第一爪よりも低い第二爪と、
を有する、
請求項１〜４のいずれか一項に記載のガスこんろ。
【請求項６】
前記五徳は、前記複数の第一爪を三つ有する、
請求項５記載のガスこんろ。
【請求項７】
前記第二爪は、前記複数の第一爪の間に配置されている、
請求項５又は請求項６に記載のガスこんろ。
【請求項８】
輪部及び前記輪部に対して固定された複数の爪部を有する五徳が載る天板であって、
前記輪部が載る複数の凸部を有し、
前記複数の凸部の各々は、平面視において、前記複数の爪部の間にある、
天板。
【発明の詳細な説明】
【技術分野】
【０００１】
本発明は、ガスこんろ及び天板に関する。
【背景技術】
【０００２】
特許文献１には、従来のガスコンロが記載されている。特許文献１に記載のガスコンロは、トッププレートと、五徳と、を備える。五徳は、トッププレートのバーナ用開口縁の上面に載置される。
【０００３】
特許文献１に記載の五徳では、３本の五徳爪がそれぞれトッププレートに載る。これによって、トッププレート上における五徳のがたつきが抑制される。
【先行技術文献】
【特許文献】
【０００４】
【特許文献１】特開２０１７−２２７４０５号公報
【発明の概要】
【発明が解決しようとする課題】
【０００５】
ところで、ユーザは、中華鍋やフライパン等の調理容器を使用して、食材を炒めたり、パスタにソースを絡めたりする際に、調理容器を振って調理を行うことがある（いわゆる鍋振り）。
【０００６】
このとき、特許文献１記載のガスコンロでは、五徳爪に加わった荷重がそのままトッププレートに加わるため、調理容器から加わる衝撃によって、トッププレートが破損する可能性がある。
【０００７】
本発明は、上記事情に鑑みてなされ、調理容器から五徳の爪部に対して加わった衝撃を和らげ、天板に伝わる衝撃を抑えることができるガスこんろ及び天板を提供することを目的とする。
【課題を解決するための手段】
【０００８】
本発明に係る一態様のガスこんろは、天板を有するこんろ本体と、前記天板に載る輪部及び前記輪部に対して固定された複数の爪部を有する五徳と、を備える。前記天板は、前記輪部が載る複数の凸部を有する。前記複数の凸部の各々は、平面視において、前記複数の爪部のうちの隣り合う爪部の間にある。
【０００９】
本発明に係る一態様の天板は、輪部及び前記輪部に対して固定された複数の爪部を有する五徳が載る天板である。前記輪部が載る複数の凸部を有する。前記複数の凸部の各々は、平面視において、前記複数の爪部の間にある。
【発明の効果】
【００１０】
本発明に係る上記態様のガスこんろ及び天板は、調理容器から五徳の爪部に対して加わった衝撃を和らげ、天板に伝わる衝撃を抑えることができる、という利点がある。
【図面の簡単な説明】
【００１１】
【図１】図１は、本発明の一実施形態に係るガスこんろの斜視図である。
【図２】図２は、同上のガスこんろにおいて、天板及び五徳の分解斜視図である。
【図３】図３は、同上のガスこんろにおけるバーナ周辺の断面図である。
【図４】図４は、図３のＡ部分の拡大図である。
【図５】図５は、図３の平面図である。
【図６】図６は、同上のガスこんろにおいて、爪部の主面に対して、直交する方向からみた断面図である。
【図７】図７は、同上の五徳に対して、調理容器を置いた直後の説明図である。
【図８】図８は、同上の五徳に対して、調理容器を置いた後、五徳の輪部が変形した状態の説明図である。
【発明を実施するための形態】
【００１２】
（１）実施形態
（１．１）概要
本実施形態に係るガスこんろ１は、図１に示すように、こんろ本体２と、五徳９と、を備える。こんろ本体２は、ガスこんろ１の主体をなす部分であり、少なくとも天板４を有する。五徳９は、天板４に載る輪部９１と、輪部９１に対して固定された複数の爪部９２とを有する。
【００１３】
天板４は、図５に示すように、輪部９１が載る複数の凸部６４を有する。複数の凸部６４の各々は、平面視において、複数の爪部９２のうちの隣り合う爪部９２の間にある。本開示でいう「平面視」とは、天板４の上面に直交する方向のうち上側からみることを意味する。
【００１４】
このため、本実施形態に係るガスこんろ１によれば、複数の爪部９２に対して、衝撃が加わった場合、凸部６４の間において輪部９１が弾性的に変形することができる。このため、本実施形態に係るガスこんろ１によれば、ユーザが調理容器１００を用いて鍋振り等を行う際に、調理容器１００が爪部９２に衝撃を加えても、調理容器１００から五徳９の爪部９２に対して加わった衝撃を和らげ、天板４に伝わる衝撃を抑えることができる。
【００１５】
（１．２）詳細
（１．２．１）全体構成
以下、本実施形態に係るガスこんろ１について、詳細に説明する。ガスこんろ１は、ガスを用いて加熱調理を行う加熱調理機器である。本実施形態に係るガスこんろ１は、図１に示すように、ビルトインタイプのガスこんろであり、より詳しくは、システムキッチン等のワークトップに設置されるドロップインタイプのガスこんろである。ただし、本開示に係るガスこんろ１は、卓上タイプのテーブルこんろであってもよい。本実施形態に係るガスこんろ１は、図１に示すように、こんろ本体２と、複数の五徳９と、を備える。
【００１６】
（１．２．２）こんろ本体
こんろ本体２は、ガスこんろ１の主体をなす部分である。こんろ本体２は、五徳９に載せられた加熱対象物を、バーナ８によって加熱する。本開示にいう加熱対象物は、例えば、調理物が入った調理容器１００（図７参照）、調理物が載った調理網、調理物が載った調理プレート、調理物そのもの等が挙げられる。こんろ本体２は、図１に示すように、筐体３と、天板４と、複数（ここでは二つ）のバーナ８と、を備える。
【００１７】
（１．２．２．１）筐体
筐体３は、機器を収める箱状の部材である。本実施形態に係る筐体３は、ワークトップに設置された状態では、ワークトップの上面よりも下方に位置する。本実施形態に係る筐体３は、上面に開口面（不図示）を備える。筐体３の内部には、複数のバーナ８、開閉弁（不図示）及び制御機器（不図示）等の機器のほか、複数のバーナ８につながるガス供給用の配管（不図示）、電気ケーブル（不図示）等が収まっている。本実施形態に係る筐体３は、金属板によって構成されている。
【００１８】
（１．２．２．２）天板
天板４は、こんろ本体２の最上部の板である。本実施形態に係る天板４は、筐体３に対し、筐体３の開口面を覆うようにして取り付けられている。本実施形態に係る天板４は、図２に示すように、トッププレート本体５と、複数のシール５２と、複数のバーナリング６と、フレーム７と、カバー７４と、を備える。カバー７４は、トッププレート本体５に対して取外し可能に取り付けられる。
【００１９】
（１．２．２．２．１）トッププレート本体
トッププレート本体５は、天板４の主体をなす板体である。本実施形態に係るトッププレート本体５は、平板であり、上面が水平面に対して略平行である。トッププレート本体５は、例えば、ガラス、琺瑯、ステンレス、アルミニウム、フッ素コーティングを施した鋼板等で構成される。ここでいう琺瑯には、金属板の表面に釉薬を塗り焼成して表面をガラス質に変性させた材料のほか、その表面に更にガラスコーティングを施した材料も含む。
【００２０】
トッププレート本体５は、図２に示すように、複数のバーナ８（図１参照）に対応する複数の穴５１を有する。各穴５１は、トッププレート本体５の厚み方向に沿って、上面と下面とを貫通している。穴５１には、バーナ８（図１参照）の一部が通されている。本実施形態に係る穴５１は、円形（真円形）であるが、本開示では、例えば、楕円形、長円形、多角形（四角形、五角形、六角形等）等であってもよい。
【００２１】
ここで、本開示において「周方向」とは、穴５１の中心を通る鉛直軸を中心とした円周に沿った方向を意味する。以下では、穴５１が円形であるとして、本実施形態に係るガスこんろ１を説明するが、上述の通り、穴５１の形状は円形に限らない。
【００２２】
（１．２．２．２．２）シール
シール５２は、穴５１を囲むように形成された止水材である。シール５２は、トッププレート本体５とバーナリング６との間に配置される。シール５２によれば、例えば、天板４の上面に付着した液体やごみ等の異物が、トッププレート本体５とバーナリング６との間から穴５１に入るのを抑えることができる。本実施形態に係るシール５２は、平面視略円環状であるが、本開示では、矩形枠状、板状などであってもよく、形状に制限はない。また、シール５２の素材は、特に制限はなく、例えば、天然ゴム、合成ゴム、軟質樹脂、金属等が挙げられる。
【００２３】
ここで、本開示における「平面視略円環状」「リング状」「リング」という表現は、上方から見て中央を中心とした周方向に沿って一回転（つまり３６０°）連続していることを意味する。したがって、本開示でいう「平面視略円環状」「リング状」「リング」という表現には、弧の部分の幅の大きさを特定する意図はない。
【００２４】
（１．２．２．２．３）バーナリング
バーナリング６は、トッププレート本体５に対し、穴５１の内周面とバーナ８との間の隙間を覆うようにして取り付けられている。バーナリング６によれば、例えば、五徳９に置かれた調理容器１００等から吹きこぼれが生じても、こぼれた液体が穴５１に入るのを抑えることができる。本実施形態に係るバーナリング６は、トッププレート本体５に対して取外し可能に取り付けられている。バーナリング６は、図３に示すように、載置部６１と、位置決め部６５と、覆い部６８と、を備える。本実施形態に係るバーナリング６は、絞り成形によって一体成形されている。
【００２５】
（１．２．２．２．３．１）載置部
載置部６１は、五徳９が載る部分である。本実施形態に係る載置部６１は、穴５１の周囲に位置する。載置部６１は、図４に示すように、起立部６２と、平板部６３と、複数の凸部６４と、を備える。
【００２６】
起立部６２は、トッププレート本体５の上面から上方向に立ち上がる部分である。起立部６２は、下端がトッププレート本体５の上面に載り、トッププレート本体５の上面と平板部６３とを離す。本実施形態に係る起立部６２は、バーナリング６の外周部の全長にわたって連続して形成されているが、断続的に形成されてもよい。
【００２７】
平板部６３は、起立部６２の上端部から水平面に沿い、かつ平面視で穴５１の中央に向かって延びている。本実施形態に係る平板部６３は、平面視略円環状に形成されている。本実施形態に係る平板部６３は、平面視において、穴５１を囲む位置に配置されている。
【００２８】
本実施形態に係る平板部６３の上面は平面であり、トッププレート本体５の上面よりも上方に位置している。平板部６３とトッププレート本体５との間には、シール５２が配置されているが、平板部６３は、上方から下方向への力が加わると、下方向に弾性変形し得る。要するに、本実施形態に係る平板部６３は可とう性を有する。
【００２９】
凸部６４は、平板部６３の上面よりも上方向に突出する。複数の凸部６４には、五徳９の輪部９１が載る。したがって、本実施形態に係る五徳９では、輪部９１と平板部６３との間に隙間がある。また、五徳９爪の下端とトッププレート本体５の上面との間にも隙間Ｓがある（図６参照）。これについては、後述の「（１．３）調理容器を置いた時の五徳の動き」で詳述する。
【００３０】
本実施形態に係るバーナリング６は、図５に示すように、複数の凸部６４として、複数（ここでは三つ）の第一突起６４１と、複数（ここでは三つ）の第二突起６４２と、を備える。複数の凸部６４の上面は、本実施形態では、平面であるが、曲面であってもよい。
【００３１】
複数の第一突起６４１は、すべて同じ高さである。ここでいう「高さ」は、突出高さを意味し、本実施形態では、平板部６３の上面から凸部６４の頂点までの最短距離のことである。したがって、トッププレート本体５の上面から、複数の第一突起６４１の頂点までの距離は、すべての第一突起６４１において同じである。
【００３２】
本実施形態に係るバーナリング６では、平面視において、第一突起６４１と穴５１の中心Ｃとを通る直線Ｌ１同士のなす角θ１がすべて同じになるように、複数の第一突起６４１が形成されている。本実施形態では、複数の第一突起６４１は三つあるため、第一突起６４１と穴５１の中心とを通る直線Ｌ１同士のなす角θ１は、約１２０°である。
【００３３】
第二突起６４２は、第一突起６４１よりも高さが低い。第二突起６４２と、第一突起６４１との高さの差は、０．３ｍｍ以上１ｍｍ以下であることが好ましく、より好ましくは、０．４ｍｍ以上０．６ｍｍ以下である。複数の第二突起６４２は、本実施形態では全て同じ高さであるが、本開示では、全て同じ高さでなくてもよい。各第二突起６４２は、隣り合う第一突起６４１の間に配置される。複数の第二突起６４２及び複数の第一突起６４１は、本実施形態では、中心Ｃを中心とする一の円弧上に交互に形成されている。
【００３４】
本実施形態に係るバーナリング６では、平面視において、第二突起６４２と穴５１の中心Ｃとを通る直線Ｌ２同士のなす角がすべて同じになるように、複数の第二突起６４２が形成されている。本実施形態では、複数の第二突起６４２は三つあるため、第二突起６４２と穴５１の中心とを通る直線Ｌ２同士のなす角は、約１２０°である。また、第二突起６４２は、隣り合う第一突起６４１の間において、周方向における中央にある。要するに、第二突起６４２と穴５１の中心Ｃとを通る直線Ｌ２と、第一突起６４１と穴５１の中心Ｃとを通る直線Ｌ１とのなす角θ２は、約６０°である。ただし、第二突起６４２は、隣り合う第一突起６４１の間のうち、中央になくてもよく、隣り合う第一突起６４１の間のうちのいずれかの箇所にあればよい。
【００３５】
（１．２．２．２．３．２）位置決め部
位置決め部６５は、五徳９の位置決めを行う部分である。本実施形態に係る位置決め部６５は、配置位置決め部６６と、回転位置決め部６７と、を備える。
【００３６】
配置位置決め部６６は、トッププレート本体５の上面における、五徳９の水平面上の位置を決める。本実施形態に係る配置位置決め部６６は、図４に示すように、平板部６３から上方向に隆起しており、平面視略円環状に形成されている。配置位置決め部６６の上端は、凸部６４の上端よりも上方向に位置している。本実施形態に係る配置位置決め部６６は、径方向の外側に向く立面６６１を有する。立面６６１は、五徳９の輪部９１に配置位置決め部６６が入ると、輪部９１の内周面に対向する。これによって、配置位置決め部６６は、五徳９に対して、トッププレート本体５の上面における水平面上の移動を制限することができる。
【００３７】
回転位置決め部６７は、穴５１の周方向における五徳９の位置（向き）を決める。本実施形態に係る回転位置決め部６７は、図５に示すように、配置位置決め部６６の立面６６１から、穴５１の中央Ｃに向かって凹む複数の凹部６７１である。本実施形態に係る複数の凹部６７１の各々は、複数の凸部６４に対して、周方向にずれた位置にあり、より詳細には、周方向において隣り合う凸部６４の中央にある。各凹部６７１に対して、五徳９の爪部９２の一部が入ると、五徳９の周方向の位置が制限される。
【００３８】
（１．２．２．２．３．３）覆い部
覆い部６８は、穴５１の内周面とバーナ８との間の隙間を覆う部分である。本実施形態に係る覆い部６８は、図３に示すように、位置決め部６５における穴５１の中央側の端部から、平面視において穴５１の中央に向かって延びている。覆い部６８は、穴５１の中央に対応する位置に形成された貫通孔６８１を有する。貫通孔６８１には、バーナ８の一部が通される。なお、本実施形態に係る覆い部６８には、バーナ８が載る。バーナ８の構成については、後述の「（１．２．２．３）バーナ」で説明する。
【００３９】
（１．２．２．２．４）フレーム
フレーム７は、図２に示すように、天板４の下面及び外周の縁を構成する。フレーム７は、天板４の下面を構成する下プレート７１と、天板４の外周の縁を構成する枠体７２と、下プレート７１に対して取り付けられるバックアッププレート７３と、を備える。下プレート７１は、トッププレート本体５の下面に対向する。枠体７２は、トッププレート本体５の前側の端面、左右方向の端面及びカバーの後側の端面に沿って取り付けられている。
【００４０】
バックアッププレート７３は、バーナリング６を下から支える。バックアッププレート７３には、バーナリング６の貫通孔６８１に対応する位置に通し孔７３１が形成されている。通し孔７３１及び貫通孔６８１には、上述の通り、バーナ８が通される。
【００４１】
（１．２．２．３）バーナ
バーナ８は、ガスを用いて加熱対象物を加熱する装置である。本実施形態に係るバーナ８は、予混合燃焼バーナであり、具体的には、ガスこんろ１の筐体３の内部において、ガス及び一次空気の供給を受けて炎を生成するブンゼンバーナである。ただし、本開示に係るバーナ８は、拡散燃焼バーナであってもよい。また、ガスとしては、特に制限はなく、例えば、都市ガス、プロパンガス等、いずれが用いられてもよい。
【００４２】
バーナ８は、図３に示すように、ガス供給用の配管が接続された部分（不図示）が筐体３の内部に設置され、炎孔を有する部分がバーナリング６の上に設置される。炎孔を有する部分の一部が、バーナリング６の貫通孔６８１を通り、ガス供給用の配管が接続された部分に接続される。
【００４３】
（１．２．３）五徳
五徳９は、加熱対象物を載せる。五徳９は、天板４に対して取外し可能に取り付けられている。本実施形態に係る五徳９は、バーナリング６に載った状態で、位置決め部６５によって、天板４上で位置決めされている。本実施形態に係る五徳９は、図１に示すように、複数（ここでは二つ）あり、複数のバーナ８に対応して、天板４に取り付けられている。五徳９は、本実施形態では、例えば、琺瑯、スチール、ステンレス、アルミニウム等で構成される。本実施形態に係る五徳９は、板体で構成されている。ただし、本開示に係る五徳９は、鋳物であってもよい。各五徳９は、輪部９１と、複数の爪部９２と、を備える。
【００４４】
（１．２．３．１）輪部
輪部９１は、五徳９において、天板４に載る部分である。本実施形態に係る輪部９１は、平面視略円環状に形成されている。
【００４５】
本実施形態に係る輪部９１は、板状であり、厚み方向が、トッププレート本体５の上面に対して略直交している。本実施形態に係る輪部９１では、厚さ寸法は、輪部９１の幅（弧の部分の幅）の寸法よりも小さい。本実施形態では、輪部９１の厚さ寸法は、一例ではあるが、２．８ｍｍである。輪部９１は、一定以上の力が加わると、弾性変形し得る。要するに、本実施形態に係る輪部９１は、可とう性を有する。
【００４６】
（１．２．３．２）爪部
爪部９２は、加熱対象物が載る部分であり、輪部９１に対して固定されている。輪部９１と爪部９２との固定は、例えば、溶接、嵌め込み、ねじ止め、かしめ、リベット止め等によって実現される。本実施形態に係る爪部９２は、輪部９１に対して溶接によって固定されている。
【００４７】
複数（ここでは六つ）の爪部９２は、周方向に同じ間隔で、輪部９１に取り付けられている。複数の爪部９２の各々は、図５に示すように、平面視において、隣り合う凸部６４の間に位置している。言い換えると、複数の凸部６４の各々は、平面視において、複数の爪部９２のうちの隣り合う爪部９２の間にある。本実施形態に係る爪部９２は、バーナリング６の凹部６７１に対応する位置にあり、要するに、周方向において、隣り合う凸部６４の中央に位置している。
【００４８】
本実施形態に係る複数の爪部９２は、平面視において、径方向に沿って延びている。各爪部９２は、図６に示すように、輪部９１に対して取り付けられる取付け部９２１と、取付け部９２１から立ち上げられた立上げ部９２２と、立上げ部９２２の上端から平面視で中央に延びる支え部９２３と、を備える。取付け部９２１、立上げ部９２２及び支え部９２３は一体である。支え部９２３は、爪部９２の上端面を構成しており、調理容器１００が載る部分である。支え部９２３の中央側の端部（以下、先端部９２４）は、その上面が、先端に行くに従って下方向に行くように水平面に対して傾斜している。これによって、小型の鍋や底面が曲面の鍋（例えば、中華鍋）を支えることができる。なお、支え部９２３の先端部９２４以外の上面は、水平面に略平行である。
【００４９】
本実施形態に係る爪部９２は、図５に示すように、複数の爪部９２として、複数（ここでは三つ）の第一爪９２ａと、複数（ここでは三つ）の第二爪９２ｂと、を備える。
【００５０】
複数の第一爪９２ａは、すべて同じ高さである。ここでいう「高さ」は、輪部９１の下面から支え部９２３の先端部９２４を除く上端面までの寸法を意味する。したがって、トッププレート本体５の上面から、複数の第一爪９２ａの上端面までの距離は、すべての第一爪９２ａにおいて同じである。
【００５１】
本実施形態に係る五徳９では、平面視において、隣り合う第一爪９２ａに沿った直線Ｄ１同士のなす角がすべて同じになるように、複数の第一爪９２ａが形成されている。本実施形態では、複数の第一爪９２ａは三つあるため、第一爪９２ａに沿った直線Ｄ１同士のなす角Ｒ１は約１２０°である。
【００５２】
第二爪９２ｂは、図６に示すように、第一爪９２ａよりも高さが低い。第二爪９２ｂと第一爪９２ａとの高さの差は、０．３ｍｍ以上１ｍｍであることが好ましく、より好ましくは、０．４ｍｍ以上０．６ｍｍ以下である。複数の第二爪９２ｂは、本実施形態では全て同じ高さであるが、本開示では、全て同じ高さでなくてもよい。各第二爪９２ｂは、隣り合う第一爪９２ａの間に配置される。複数の第二爪９２ｂ及び複数の第一爪９２ａは、本実施形態では、周方向に交互に形成されている。
【００５３】
本実施形態に係る五徳９では、平面視において、第二爪９２ｂに沿う直線Ｄ２同士のなす角がすべて同じになるように、複数の第二爪９２ｂが形成されている。本実施形態では、複数の第二爪９２ｂは三つあるため、第二爪９２ｂに沿う直線Ｄ２同士のなす角は、約１２０°である。また、第二爪９２ｂは、隣り合う第一爪９２ａの間において、周方向における中央にある。要するに、第二爪９２ｂに沿う直線Ｄ２と、第一爪９２ａに沿う直線Ｄ１とのなす角Ｒ２は約６０°である。
【００５４】
本実施形態に係るガスこんろ１では、図６に示すように、立上げ部９２２の下端面と天板４の上面との間に隙間Ｓがあり、具体的には、０．３ｍｍ以上１ｍｍ以下の隙間Ｓがある。したがって、五徳９に対して調理容器１００を載せた際に、「（１．３）調理容器を置いた時の五徳の動き」で説明するように、輪部９１がたわんでも、爪部９２が天板４の上面に接触することが回避できる。
【００５５】
ところで、仮に、何らかの理由で、一の爪部９２の径方向の外側の端部に対してのみ、荷重が加わった場合、五徳９全体が、設置された状態から傾く可能性がある。しかし、本実施形態に係るガスこんろ１では、立上げ部９２２の下端面と天板４の上面との間の隙間Ｓが０．３ｍｍ以上１ｍｍ以下の隙間であるため、立上げ部９２２の下端面が天板４の上面に接触して傾いた状態では、輪部９１の内周面は、立面６６１に対向する。したがって、本実施形態に係るガスこんろ１によれば、天板２の上面に対して五徳９が傾いた場合でも、天板２の所定位置から五徳９がずれにくい。
【００５６】
（１．３）調理容器を置いた時の五徳の動き
五徳９は、天板４上において三つの凸部６４で支えられている。このため、本実施形態に係る五徳９は、仮に、製造の精度が悪い場合や塗膜の膜厚にバラつきがある場合でも、ガタつきを抑えることができる。
【００５７】
ユーザが調理容器１００を五徳９に置くと、図７に示すように、調理容器１００は、最初に、複数の第一爪９２ａに載る。本実施形態に係る第一爪９２ａは三つあるため、調理容器１００はガタつくことなく、安定して支持される。このとき、調理容器１００は、第一爪９２ａに対して下方向に荷重を加える。
【００５８】
第一爪９２ａに対して下方向に荷重が加わると、輪部９１に対して下方向の荷重が加わる。輪部９１は、複数の凸部６４（特にここでは第一突起６４１）に接触して支えられているが、第一爪９２ａは、平面視において、隣り合う凸部６４の間に位置しているため、図８に示すように、輪部９１が弾性的に変形する。輪部９１が弾性的に変形すると、輪部９１には、凸部６４の間でたわみが生じる。すると、調理容器１００の下面は、第二爪９２ｂに載る。これによって、調理容器１００はより安定して支持される。
【００５９】
さらに、調理容器１００から五徳９に対して下方向の力が加わると、輪部９１において、第一突起６４１の間がたわむことで、輪部９１の一部が第二突起６４２に接触する。
【００６０】
これによって、調理容器１００を五徳９に置く際に、五徳９と天板４との間で生じる衝撃を和らげることができる。また、五徳９に対して、調理容器１００から荷重が加わると、五徳９は、三つより多くのの凸部６４（ここで六つの凸部６４）で支えられるため、荷重を分散できる。しかも、本実施形態に係る天板４では、平板部６３も可とう性を有するため、より効果的に衝撃を和らげることができる。
【００６１】
（２）変形例
上記実施形態は、本開示の様々な実施形態の一つに過ぎない。実施形態は、本開示の目的を達成できれば、設計等に応じて種々の変更が可能である。以下、実施形態の変形例を列挙する。以下に説明する変形例は、適宜組み合わせて適用可能である。
【００６２】
上記実施形態に係るガスこんろ１は、複数のバーナ８を有したが、本開示では、一つのみのバーナ８を有するガスこんろ１であってもよい。要するに、本開示に係るガスこんろ１は、少なくとも一つのバーナ８を有していればよい。
【００６３】
上記実施形態に係るガスこんろ１では、トッププレート本体５の上面は略水平面であるが、本開示に係るガスこんろ１では、トッププレート本体５の上面には、凹み等の凹凸面があってもよい。
【００６４】
上記実施形態では、天板４は、筐体３に対して引掛けにより取り付けられたが、ねじ止め、嵌め込み等によって取り付けられてもよい。また、筐体３がワークトップに対して固着具によって固定され、天板４がワークトップに対して固着具によって固定されてもよい。
【００６５】
本実施形態に係るバーナリング６は、覆い部６８が平板状であったが、覆い部６８は下方向に凹んだ容器状に形成されてもよい。また、本開示に係るバーナリング６は、トッププレート本体５と一体に形成されてもよい。要するに、複数の凸部６４は、トッププレート本体５とは別部材でなくてもよく、天板４の一部に凸部６４が形成されてもよい。
【００６６】
本開示にて、「略平行」のように「略」を伴った表現が、用いられる場合がある。例えば、「略平行」とは、実質的に「平行」であることを意味し、厳密に「平行」な状態だけでなく、数度程度の誤差を含む意味である。他の「略」を伴った表現についても同様である。
【００６７】
また、本開示において「前端部」及び「前端」などのように、「…端部」と「…端」とで区別した表現が用いられている。例えば、「前端部」とは、「前端」を含む一定の範囲を持つ部分を意味する。他の「…端部」を伴った表現についても同様である。
【００６８】
（３）態様
以上説明したように、第１の態様に係るガスこんろ（１）は、天板（４）を有するこんろ本体（２）と、天板（４）に載る輪部（９１）及び輪部（９１）に対して固定された複数の爪部（９２）を有する五徳（９）と、を備える。天板（４）は、輪部（９１）が載る複数の凸部（６４）を有する。複数の凸部（６４）の各々は、平面視において、複数の爪部（９２）のうちの隣り合う爪部（９２）の間にある。
【００６９】
この態様によれば、複数の爪部（９２）に対して、衝撃が加わった場合でも、凸部（６４）の間において輪部（９１）が弾性的に変形することができる。このため、この態様によれば、ユーザが調理容器（１００）を用いて鍋振り等を行う際に、調理容器（１００）が爪部（９２）に衝撃を加えても、爪部（９２）から天板（４）に対して与える衝撃を和らげることができる。
【００７０】
第２の態様に係るガスこんろ（１）では、第１の態様において、複数の凸部（６４）は、複数の第一突起（６４１）と、第一突起（６４１）よりも低い第二突起（６４２）と、を有する。
【００７１】
この態様によれば、第二突起（６４２）と輪部（９１）との間に隙間が生じるので、輪部（９１）が変形しやすい上に、輪部（９１）がたわんだ状態で、輪部（９１）を第二突起（６４２）で支えることができる。このため、食材が入った調理容器（１００）を五徳（９）に載せた場合には、第一突起（６４１）と第二突起（６４２）とで輪部（９１）を支えることができ、安定した支持を実現できる。
【００７２】
第３の態様に係るガスこんろ（１）では、第２の態様において、こんろ本体（２）は、複数の第一突起（６４１）を三つ有する。
【００７３】
この態様によれば、五徳（９）に対して調理容器（１００）を載せていない状態でも、五徳（９）が天板（４）の上でガタつくのを抑えることができる。このため、例えば、五徳（９）の製造の精度が低かったり、塗膜の膜厚にムラがあったりしても、天板（４）の上で五徳（９）がガタつくのを抑えることができる。
【００７４】
第４の態様に係るガスこんろ（１）では、第１〜第３のいずれか一つの態様において、天板（４）は、トッププレート本体（５）と、トッププレート本体（５）に取り付けられたバーナリング（６）と、を有する。複数の凸部（６４）はバーナリング（６）に形成されている。
【００７５】
この態様によれば、バーナリング（６）のみの設計変更を行うだけで、ユーザが調理容器（１００）を用いて鍋振り等を行う際に、爪部（９２）から天板（４）に対して与える衝撃を和らげることができる。
【００７６】
第５の態様に係るガスこんろ（１）では、第１〜第４のいずれか一つの態様において、複数の爪部（９２）は、複数の第一爪（９２ａ）と、第一爪（９２ａ）よりも低い第二爪（９２ｂ）と、を有する。
【００７７】
この態様によれば、調理容器（１００）を五徳（９）に載せる際に、まず調理容器（１００）を複数の第一爪（９２ａ）に載せ、その後、第二爪（９２ｂ）で支えることができるので、調理容器（１００）から五徳（９）及び天板（４）に与える衝撃を、一層、和らげることができる。
【００７８】
第６の態様に係るガスこんろ（１）では、第５の態様において、五徳（９）は、複数の第一爪（９２ａ）を三つ有する。
【００７９】
この態様によれば、荷重が小さい調理容器（１００）を五徳（９）に載せた場合、第一爪（９２ａ）だけで調理容器（１００）を支えることになっても、ガタつきなく、安定した支持を実現できる。
【００８０】
第７の態様に係るガスこんろ（１）では、第５又は第６の態様において、第二爪（９２ｂ）は、複数の第一爪（９２ａ）の間に配置されている。
【００８１】
この態様によれば、荷重が比較的大きい調理容器（１００）を五徳（９）に載せた場合、第一爪（９２ａ）及び第二爪（９２ｂ）で調理容器（１００）を支えることができ、安定した支持を実現できる。
【００８２】
第８の態様に係る天板（４）は、輪部（９１）及び輪部（９１）に対して固定された複数の爪部（９２）を有する五徳（９）が載る天板（４）である。天板（４）は、輪部（９１）が載る複数の凸部（６４）を有する。複数の凸部（６４）の各々は、平面視において、複数の爪部（９２）の間にある。
【００８３】
この態様によれば、天板（４）に対して五徳（９）を載せた際、複数の爪部（９２）に対して、衝撃が加わった場合でも、凸部（６４）の間において輪部（９１）が弾性的に変形することができる。
【００８４】
第２〜第７の態様に係る構成については、ガスこんろ（１）に必須の構成ではなく、適宜省略可能である。
【符号の説明】
【００８５】
１        ガスこんろ
２        こんろ本体
４        天板
５        トッププレート本体
６        バーナリング
６４      凸部
６４１    第一突起
６４２    第二突起
９        五徳
９１      輪部
９２      爪部
９２ａ    第一爪
９２ｂ    第二爪
１００    調理容器
【図１】
2020148397.tif 000003
【図２】
2020148397.tif 000004
【図３】
2020148397.tif 000005
【図４】
2020148397.tif 000006
【図５】
2020148397.tif 000007
【図６】
2020148397.tif 000008
【図７】
2020148397.tif 000009
【図８】
2020148397.tif 000010